(57)【要約】【課題】歯科用インプラントフィクチャーに固定される歯科用アバットメントであって、歯肉との密着性が高く顎骨内への菌の侵入が防止でき、骨吸収や歯肉退縮を起こし難い歯科用アバットメントを提供する。【解決手段】歯科用インプラントフィクスチャーＦの口腔内側に固定されて歯肉を貫通し歯科用補綴物Ｐの土台となる歯科用アバットメント１であって、歯肉に当接する外周にその円周方向に沿って幅１〜５００μｍ、高さ１〜５００μｍの突条部２を螺旋状に突設するか又は略等間隔でリング状に複数突設する。【選択図】図２
2010194118.tif 000002
【特許請求の範囲】
【請求項１】
歯科用インプラントフィクスチャー(Ｆ)の口腔内側に固定されて歯肉を貫通し歯科用補綴物(Ｐ)の土台となる歯科用アバットメント(１)であって、歯肉に当接する外周にその円周方向に沿って幅１〜５００μｍ、高さ１〜５００μｍの突条部(２)が螺旋状に突設されているか又は略等間隔でリング状に複数突設されていることを特徴とする歯科用アバットメント(１)。
【発明の詳細な説明】
【技術分野】
【０００１】
本発明は、歯科用インプラントフィクチャーに固定される歯科用アバットメントであって、骨吸収や歯肉退縮が起こり難い歯科用アバットメントに関する。
【背景技術】
【０００２】
欠如歯部の失われた口腔機能を回復するための治療方法として、欠如歯部の顎骨内に埋入して顎骨と骨結合した人工歯根となる歯科用インプラントフィクスチャーの口腔内側に歯科用補綴物を固定する歯科インプラント治療が普及してきている。この歯科インプラント治療においては、歯科用インプラントフィクスチャーの口腔内側に歯肉を貫通する歯科用アバットメントを配置し、この歯科用アバットメントの口腔内側に歯科用補綴物を配置する構造が一般的である。
【０００３】
このような歯科インプラント治療が施される部位の抜歯後の歯肉組織は、抜歯前の歯肉に比べて線維芽細胞が少ないという特徴があり、歯科用アバットメントの周囲と歯肉との間から顎骨内に菌が入り易く、また炎症により破壊された組織を修復する能力が小さいので骨吸収が進む原因となり易いのである。
【０００４】
また抜歯前の歯肉中の歯肉線維（コラーゲン線維）は天然歯に対して直交するように再生するのに対し、歯科用インプラントフィクスチャー埋入後に再生される組織では歯肉線維は歯科用インプラントフィクスチャーと平行となるように再生する。このような歯科用インプラントフィクスチャーと平行な歯肉線維は接触する歯科用インプラントフィクスチャーや歯科用アバットメントとの結合が弱く歯肉退縮が起こり易い。その結果、歯科用アバットメントと接触する歯肉の先端側が退縮して菌が顎骨内に入り骨吸収が進んだり審美性が損なわれたりすることが多い。
【０００５】
このような骨吸収などの問題に対して、歯肉と経粘膜要素（歯科用アバットメント又はスペーサー）との一体化を図るために、周囲に完全又は部分的に伸びる溝または凹部が設けられた経粘膜要素がある（例えば、特許文献１  請求項８参照。）。この溝は周囲の歯肉との安定性を増大させるために形成されているが、例示された溝の大きさは幅が約１００ｎｍ、深さが約７０ｎｍと非常に細くて浅い溝であるため（特許文献１  段落番号００１７）、歯肉を構成する組織が入り込めない溝となっており、このような細くて浅い溝がどのような作用によって周囲の歯肉との安定性を増大させているのか明確でない。また前述したように、抜歯後の歯肉組織は抜歯前の歯肉組織とは異なる瘢痕組織であるため、溝を設けて一体化を図っても抜歯前の歯肉組織と同様な効果を得ることは難しいのである。
【先行技術文献】
【特許文献】
【０００６】
【特許文献１】特表２００７−５１９４６７号公報
【０００７】
またこのような骨吸収や歯肉退縮が起こった後に、歯肉の移植や、エムドゲイン，ＧＴＲ，ＧＢＲ等を用いた外科的な処置方法も提案されているが、このような処置方法は未だ十分に確立されていないばかりか、患者の負担が大きいため好ましくない。
【発明の概要】
【発明が解決しようとする課題】
【０００８】
本発明は前記の問題に鑑み、歯科用インプラントフィクチャーに固定される歯科用アバットメントであって、歯肉との密着性が高く、顎骨内への菌の侵入が防止でき、骨吸収や歯肉退縮が起こし難い歯科用アバットメントを提供することを課題とする。
【課題を解決するための手段】
【０００９】
本発明者らは前記課題を解決すべく鋭意検討した結果、歯科用インプラントフィクスチャーに固定される歯科用アバットメントに、歯肉に当接する外周にその円周方向に沿って幅１〜５００μｍ、高さ１〜５００μｍの突条部を螺旋状に突設させるか又は略等間隔でリング状に複数突設させれば、螺旋状又はリング状に形成された突条部が周囲の歯肉組織に強く密着して何重にも密閉された状態となるから、口腔内から顎骨内への菌の侵入が防止でき、また強く密着した突条部によって歯肉が退縮することを抑制できることを究明して本発明を完成したのである。
【００１０】
即ち本発明は、歯科用インプラントフィクスチャーの口腔内側に固定されて歯肉を貫通し歯科用補綴物の土台となる歯科用アバットメントであって、歯肉に当接する外周にその円周方向に沿って幅１〜５００μｍ、高さ１〜５００μｍの突条部が螺旋状に突設されているか又は略等間隔でリング状に複数突設されていることを特徴とする歯科用アバットメントである。
【発明の効果】
【００１１】
本発明に係る歯科用アバットメントは、歯科用インプラントフィクスチャーの口腔内側に固定されて歯肉を貫通し歯科用補綴物の土台となる歯科用アバットメントであって、歯肉に当接する外周にその円周方向に沿って幅１〜５００μｍ、高さ１〜５００μｍの突条部が螺旋状に突設されているか又は略等間隔でリング状に複数突設されているから、螺旋状又はリング状に形成された突条部が周囲の歯肉組織に強く密着して何重にも密閉された状態となり、口腔内から顎骨内への菌の侵入が防止でき、また強く密着した突条部によって歯肉が退縮することを抑制できるのである。
【図面の簡単な説明】
【００１２】
【図１】本発明に係る歯科用アバットメントの一実施例を示す斜視図である。
【図２】図１の歯科用アバットメントの使用状態を歯肉と顎骨とを断面で示した説明図である。
【図３】本発明に係る歯科用アバットメントの他の実施例を示す斜視図である。
【図４】図３の歯科用アバットメントの使用状態を歯肉と顎骨とを断面で示した説明図である。
【発明を実施するための形態】
【００１３】
以下、図面を用いて本発明に係る歯科用アバットメントについて詳細に説明する。
図面中、Ｆは歯科用インプラントフィクスチャー、Ｐは歯科用補綴物であり、これらの歯科用インプラントフィクスチャーＦや歯科用補綴物Ｐの形状等には特に限定はなく、様々なものが使用できる。また、Ｇは歯肉、Ｊは顎骨である。
【００１４】
１は歯科用インプラントフィクスチャーＦの口腔内側に固定されて歯肉を貫通し歯科用補綴物Ｐの土台となる歯科用アバットメントである。この歯科用アバットメント１としては、後述する突条部２が突設されている点以外には特に限定はなく、例えば図１及び図２のような歯科用補綴物Ｐ形成部が設けられた形状のものや、図３及び図４のように歯科用補綴物Ｐ形成部となる別部材を口腔内側に係合させて使用するものなどが使用できる。またこの歯科用アバットメント１は生体親和性の高い純チタンやチタン合金や、セラミックスなどを加工したものが使用できる。
【００１５】
２は歯肉に当接する歯科用アバットメント１の外周にその円周方向に沿って螺旋状に突設されているか又は略等間隔でリング状に複数突設されている幅１〜５００μｍ、高さ１〜５００μｍの突条部である。
【００１６】
この突条部２の幅を１〜５００μｍとしたのは、幅が１μｍ未満であると、歯肉と密着する幅が狭すぎるため高い密閉性を得ることが難しく、また幅が５００μｍを超えると、突条部２と歯肉とが広い幅に亘って当接するような状態となるが、歯肉の内部組織は当接面の形状が平らではないため却って隙間が生じ易くしっかりと密着しないため、歯科用アバットメント１と歯肉との間の密閉性が損なわれることがあるからである。
特に幅が１００〜３００μｍであると、歯肉と密着し易く顎骨側への密閉効果が高くなるのでより好ましい。
【００１７】
また突条部２の高さを１〜５００μｍとしたのは、高さが１μｍ未満であると、突条部２と突条部２が突設されていない部分との差がほとんどないため密閉性が損なわれ易く、また高さが５００μｍを超えると、突条部２は幅が１〜５００μｍで非常に薄いため、曲げによる変形又は破損が起こり易くなり強度や耐久性に問題が生じるからである。
【００１８】
なお歯肉中の歯肉線維（コラーゲン線維）は直径が０．１〜０．５μｍの細線維の集合体であり、歯肉線維自身の直径は約２〜２０μｍであるが、この歯肉線維が突条部２，２間に入り込むことができれば、歯科用アバットメント１と歯肉との結合力も高めることができるので、突条部２，２間の間隔は２０μｍ以上であると好ましい。特に突条部２，２間の間隔が１００μｍ以上であれば、歯科用アバットメント１と平行に再生する抜歯後の歯肉線維が歯科用アバットメント１と直交するように形成された突条部２，２間に入り込み易くなり、また突条部２，２間が５００μｍを超えると、突条部２，２間に入り込んだ歯肉線維が突条部２，２間内を歯科用アバットメント１と平行に再生し易くなって歯科用アバットメント１と歯肉との結合力を高めることができなくなる。
【００１９】
本発明に係る歯科用アバットメント１としては、図１及び図２の如きものがある。この歯科用アバットメント１では、幅約１００μｍ、高さ約１００μｍの各突条部２が、歯肉と密着する約２ｍｍの高さの歯科用アバットメント１の傾斜面にそれぞれ約１５０μｍの間隔を開けてリング状に８本形成されている。
また顎骨に埋入させた歯科用インプラントフィクスチャーＦに歯科用補綴物Ｐを設けた歯科用アバットメント１を固定すると図２の如き状態となる。この歯科用アバットメント１は歯肉と密着する傾斜面全体に亘って略均等に各突条部２が設けられており、この８本のリング状の突条部２によって歯肉Ｇが歯科用アバットメント１に強固に結合して、顎骨Ｇ内への外部から菌の侵入を防ぐことができるのである。
【００２０】
次に図３及び図４に示す本発明に係る歯科用アバットメント１では、幅約５０μｍ、高さ約５０μｍの各突条部２が、歯肉と密着する高さ約２ｍｍの歯科用アバットメント１の傾斜面の口腔内側の高さ約１．６ｍｍの部位にそれぞれ約５０μｍの間隔を開けてリング状に１６本形成されている。このように突条部２を歯肉と密着する部位全体に亘って配しない場合には、図３及び図４の如く、口腔内側に配すると歯肉退縮の抑制効果が高くて好ましい。
【符号の説明】
【００２１】
１  歯科用アバットメント
２  突条部
Ｆ  歯科用インプラントフィクスチャー
Ｇ  歯肉
Ｊ  顎骨
Ｐ  歯科用補綴物
【図１】
2010194118.tif 000003
【図２】
2010194118.tif 000004
【図３】
2010194118.tif 000005
【図４】
2010194118.tif 000006